【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
入力映像信号の映像領域を所定数の領域に分割して、前記分割された各分割領域に対応する複数の領域分割映像信号を生成する映像領域分割処理部と、
前記複数の領域分割映像信号を符号化して複数の映像ビットストリームを生成する符号化処理部と、
前記符号化処理部で生成された複数の映像ビットストリームを蓄積する映像ビットストリーム群蓄積部と、
当該送信装置とネットワークで接続された受信装置から送信される、前記映像領域の中から視聴対象の領域として指定された視聴位置の情報を含む視点情報を受信する視点情報受信部と、
前記視点情報受信部で受信した前記視点情報に基づいて、前記視聴位置により特定される第１の領域に対応する前記映像ビットストリーム及び、前記第１の領域の周辺領域である第２の領域に対応する前記映像ビットストリームを、前記映像ビットストリーム群蓄積部から抽出して、伝送用の映像ビットストリームを生成する伝送用ビットストリーム生成部と、
前記伝送用ビットストリーム生成部で生成された前記伝送用の映像ビットストリームを前記受信装置に送信する映像ビットストリーム送信部とを備えており、
前記伝送用ビットストリーム生成部は、前記伝送用の映像ビットストリームの生成のために、前記第１の領域を含む第２の領域に属する第ｍ及び第ｎの分割領域に対応する映像ビットストリームについて、次の処理を行う構成となっている
送信装置：
（１）前記映像ビットストリーム群蓄積部から抽出した、第ｍの分割領域における、複数のマクロブロックから構成される１ライン分の映像ビットストリームを特定する処理；
（２）ついで、前記第ｍの分割領域に隣接する第ｎの分割領域における、複数のマクロブロックから構成される１ライン分の映像ビットストリームを特定して、先に特定した１ライン分の映像ビットストリームの端部に接続することによって、１本のビットストリームであるシングルストリームを、前記伝送用ビットストリームとして生成する処理；
ここで、ｍ：１以上の整数、ｎ：ｎ≠ｍでありかつｎ＝ｍ＋１である。
【請求項２】
前記視点情報には前記視聴位置の移動速度の情報が含まれ、
前記伝送用ビットストリーム生成部は、
前記映像ビットストリームを逆量子化してより低い量子化レベルで再符号化する再符号化処理部と、
前記視聴位置の移動速度の大きさに応じて、前記第１の領域に対応する前記映像ビットストリームと前記第２の領域に対応する前記映像ビットストリームのいずれかを前記再符号化処理部に出力する伝送用ビットストリーム再構成処理部とを備えた
請求項１記載の送信装置。
【請求項３】
前記伝送用ビットストリーム再構成処理部は、前記視聴位置の移動速度が予め設定された所定の閾値を超えない場合で、かつ処理対象の前記映像ビットストリームが前記第１の領域又は、前記第１の領域の周辺の領域でありかつ前記第２の領域より狭い範囲の前記第３の領域以外の領域である、第４の領域に対応している場合には、前記第４の領域に対応する前記映像ビットストリームを前記再符号化処理部に出力し、前記視聴位置の移動速度が予め設定された所定の閾値を超えた場合には、前記第１〜第４の領域に対応する前記映像ビットストリームを前記再符号化処理部に出力する
請求項２記載の送信装置。
【請求項４】
前記映像領域分割処理部は、前記入力映像信号の映像領域を分割した各分割領域に対応する、前記入力映像信号の有する解像度と略同一の解像度を有する第１の領域分割映像信号と、前記入力映像信号の映像領域の映像をより低い解像度に変換した第２の領域分割映像信号とを生成し、
前記映像ビットストリーム群蓄積部には、前記第１の映像領域分割映像信号から生成された第１の映像ビットストリームと、前記第２の映像領域分割映像信号から生成された第２の映像ビットストリームとが蓄積され、
前記視点情報には、前記ユーザが要求する視聴領域のサイズを示す要求解像度情報が含まれ、
前記伝送用ビットストリーム生成部は、前記要求解像度情報によって特定される解像度と対応する解像度を有する映像ビットストリームを、前記映像ビットストリーム群蓄積部から抽出する
請求項１〜３のいずれか１項に記載の送信装置。
【請求項５】
前記第２の領域分割映像信号には、前記入力映像信号の映像領域の映像を分割せず、低い解像度に変換した低解像度領域分割映像信号と、前記入力映像信号の映像領域の映像を分割して、前記低解像度領域分割映像信号における解像度よりも高い解像度に変換した中解像度領域分割映像信号とが含まれる
請求項４記載の送信装置。
【請求項６】
前記符号化処理部は、前記複数の領域分割映像信号を、領域間での予測関係を持たせない方式で独立に符号化する
請求項１〜５のいずれか１項に記載の送信装置。
【請求項７】
入力音声信号を符号化して音声ビットストリームを生成する音声符号化処理部と、
前記音声符号化処理部で生成された音声ビットストリームを、前記入力音声信号が生成された位置の情報と対応づけて蓄積する音声ビットストリーム蓄積部と、
前記視点情報に基づいて、前記視点情報により特定される映像領域と対応する位置で生成された音声信号から生成された複数の音声ビットストリームを前記音声ビットストリーム蓄積部から抽出して、前記抽出した複数の音声ビットストリームを混合する音声ビットストリーム抽出・混合処理部と、
前記音声ビットストリーム抽出・混合処理部で混合された音声ビットストリームを前記受信装置に送信する音声ビットストリーム送信部とをさらに備えた
請求項１〜６のいずれか１項に記載の送信装置。
【請求項８】
ネットワークで接続された受信装置に対してデータを送信する送信装置で使用される送信方法において、
入力映像信号の映像領域を所定数の領域に分割して、前記分割された各領域に対応する複数の領域分割映像信号を生成するステップと、
前記複数の領域分割映像信号を符号化して複数の映像ビットストリームを生成するステップと、
前記符号化処理部で生成された複数の映像ビットストリームを蓄積するステップと、
前記受信装置から送信される、前記映像領域の中から視聴対象の領域として指定された視聴位置の情報を含む視点情報を受信するステップと、
前記視点情報に基づいて、前記視聴位置により特定される第１の領域に対応する前記映像ビットストリーム及び、前記第１の領域の周辺領域である第２の領域に対応する前記映像ビットストリームを、前記蓄積された映像ビットストリーム群の中から抽出して、伝送用のビットストリームを生成するステップと、
前記伝送用のビットストリームを前記受信装置に送信するステップとを含んでおり、
前記映像ビットストリームを生成するステップにおいては、前記第１の領域を含む第２の領域に属する第ｍ及び第ｎの分割領域に対応する映像ビットストリームについて、次の処理が行われる構成となっている
送信方法：
（１）第ｍの前記分割領域における、複数のマクロブロックから構成される１ライン分の映像ビットストリームを特定する処理；
（２）ついで、前記第ｍの分割領域に隣接する前記第ｎの分割領域における、複数のマクロブロックから構成される１ライン分の映像ビットストリームを特定して、先に特定した１ライン分の映像ビットストリームの端部に接続することによって、１本のビットストリームであるシングルストリームを、前記伝送用ビットストリームとして生成する処理；
ここで、ｍ：１以上の整数、ｎ：ｎ≠ｍでありかつｎ＝ｍ＋１である。